(57)【特許請求の範囲】
【請求項１】
接続対象物を収容するハウジングと、
前記ハウジングに前記接続対象物を装着する方向と前記ハウジングから前記接続対象物を排出する方向とに移動可能なスライド部材と、
前記スライド部材を前記排出方向に付勢する付勢部材と、
前記付勢部材の付勢力に抗して前記スライド部材を接続対象物装着位置に選択的に保持するロック機構と
を有するカード用コネクタにおいて、
前記ハウジングは、前記スライド部材の移動をガイドするハウジング摺動部を有し、
前記スライド部材は、前記ハウジング摺動部に摺接するスライド部材摺動部を有し、
前記ハウジング摺動部と前記スライド部材摺動部との摺動面に潤滑剤が付与されており、前記スライド部材摺動部は前記ハウジング摺動部に押し付けられ、前記スライド部材は前記接続対象物と摺接する受け面を有し、当該受け面は前記スライド部材が移動する際に前記スライド部材摺動部が前記ハウジング摺動部に押し付けられる方向の力を生じるように形成されていることを特徴とするカード用コネクタ。
【請求項２】
前記ハウジング摺動部と前記スライド部材摺動部の摺動によって前記摺動面からはみ出した潤滑剤を集める回収部と、前記回収部に集めた潤滑剤を再び前記摺動面に戻す誘導路からなる潤滑剤の付与機構とを有することを特徴とする請求項１に記載のカード用コネクタ。
【請求項３】
前記回収部に集められ前記誘導路を介して前記摺動面に供給される前記潤滑剤の一部を収容する収容部を、前記誘導路の前記回収部とは反対側の開口部側に有することを特徴とする請求項２に記載のカード用コネクタ。
【発明の詳細な説明】
【技術分野】
【０００１】
本発明は、カード用コネクタに関し、特に、記憶装置や制御装置として用いられる着脱式の小型カードに対応するカード用コネクタに関する。
【背景技術】
【０００２】
近年、カード用コネクタを採用する製品分野が拡大し、デジタルスチルカメラや携帯電話機等の、手軽に持ち運びができる携帯機器にもカード用コネクタが多用されるようになった。また、メモリーカードの小型化が進み、より小形の携帯機器にもカード用コネクタが組み込まれるようになり、カード用コネクタにも、より小型化が要求されている。
【０００３】
ところでカードが小型化されたことにより、携帯機器への組み込みは有利となったが、使用者にとっては取り扱いにくい状況も起きるようになった。特にカードの取り出しは困難であるため、エジェクトボタン操作またはプッシュプッシュ操作でロック機構を解除すると排出ばねによってカードが排出される形式のカード用コネクタが増加している。
【０００４】
しかし、カードが排出される形式のカード用コネクタでも、排出の移動速度が大きいと使用者が排出されたカードをつかみにくいという問題があるため、カードの排出速度を減速させる機能が求められる。
【０００５】
そこで、例えば、特許文献１に開示されるカード用コネクタのように、カードと共に移動可能なスライド部材にラックギアを設け、これにオイルダンパーの平歯車を噛み合わせてオイルダンパーの回転抵抗によってラックギアの移動を規制し、カード排出時の移動速度を減速することが提案されている。
【０００６】
しかし、特許文献１に記載されているようなオイルダンパーを採用した場合にはオイルダンパーがカード用コネクタの側方に張り出すので、カード用コネクタを小型化しにくい、またオイルダンパーの平歯車の下部にオイルダンパーの本体部が位置するため、カード用コネクタを薄型化しにくいという問題がある。さらにオイルダンパーを組み込むため組立て工数が増加するという問題があった。
【０００７】
そのため、ハウジングと摺動するスライド部材に潤滑剤を直接塗布してこの潤滑剤で減速させることが考えられる。しかし、スライド部材に塗布された潤滑剤だけではハウジングと摺動するスライド部材の摺動抵抗は小さく、充分な減速効果が得られないという問題があった。
【先行技術文献】
【特許文献】
【０００８】
【特許文献１】特開２００３−３１３０７号公報
【発明の概要】
【発明が解決しようとする課題】
【０００９】
本発明は、上記事情に鑑みてなされたもので、その目的はメモリーカード排出時の減速機構を簡単に構成でき、小型化が可能なカード用コネクタを提供するところにある。
【課題を解決するための手段】
【００１０】
上記目的を達成するために、本発明は、接続対象物を収容するハウジングと、ハウジングに接続対象物を挿入する方向とハウジングから接続対象物を排出する方向とに移動可能
なスライド部材と、スライド部材を排出方向に付勢する付勢部材と、付勢部材の付勢力に抗してスライド部材を接続対象物装着位置に選択的に保持するロック機構とを有するカード用コネクタにおいて、ハウジングは、スライド部材の移動をガイドするハウジング摺動部を有し、スライド部材は、ハウジング摺動部に摺接するスライド部材摺動部を有し、ハウジング摺動部とスライド部材摺動部との摺動面に潤滑剤が付与されており、スライド部材摺動部はハウジング摺動部に押し付けられ、スライド部材は接続対象物と摺接する受け面を有し、当該受け面はスライド部材が移動する際にスライド部材摺動部がハウジング摺動部に押し付けられる方向の力を生じるように形成されていることに特徴を有する。
【００１１】
これにより、本発明ではスライド部材摺動部とハウジング摺動部に塗布された潤滑剤を挟んでハウジング摺動部にスライド部材摺動部が押し付けられることでスライド部材が移動するときの潤滑剤の抵抗が大きくなるため移動の減速効果が大きくなる。さらに、接続対象物の挿入時，排出時にスライド部材の受け面に加わる付勢力の一部により、潤滑剤が付与されたスライド部材摺動部をハウジング摺動部に押し付けることができるので、スライド部材摺動部をハウジング摺動部に押し付けるための格別の機構を追加することなく、潤滑剤のみで接続対象物の排出速度を減速させることができ、オイルダンパーやギアなどの減速機構が不要になるので、減速機構を簡単に構成でき、カード用コネクタを小型化できる。
【００１４】
また、本発明は、ハウジング摺動部とスライド部材摺動部の摺動によって潤滑剤がはみ出す領域に当接して、はみ出した潤滑剤を集める回収部と、回収部に集めた潤滑剤を再び摺動面に戻す誘導路からなる潤滑剤の付与機構とを有することに特徴を有する。
【００１５】
これにより、本発明はスライド部材摺動部とハウジング摺動部とが摺動を繰り返すうちに潤滑剤が摺動面からはみ出したとしても、はみ出した潤滑剤を回収し再び摺動面に付与できるようにしたので、長期にわたり潤滑剤による接続対象物排出時の減速を安定して行うことができる。
【００１６】
また、本発明は、回収部に集められ誘導路を介して摺動面に供給される潤滑剤の一部を収容する収容部を、誘導路の回収部とは反対側の開口部側に有することに特徴を有する。
【００１７】
これにより、本発明では回収部で回収され再度摺動面に供給される潤滑剤が過剰となった場合に余剰の潤滑剤を収容部に貯めることができ、回収される潤滑剤が不足した場合には収容部に貯められた潤滑剤が摺動面に供給されるので、減速に必要な潤滑剤を長期にわたり安定して供給することが可能となる。
【発明の効果】
【００１８】
本発明によれば、スライド部材摺動部とハウジング摺動部に塗布された潤滑剤を挟んでハウジング摺動部にスライド部材摺動部を押し付けることで潤滑剤による減速効果が大きくなる。さらに、スライド部材の受け面に加わる付勢力の一部により、潤滑剤が付与されたスライド部材摺動部をハウジング摺動部に押し付けることができるので、スライド部材摺動部をハウジング摺動部に押し付けるための格別の機構を追加することなく、潤滑剤のみで接続対象物の排出速度を減速させることができるため、オイルダンパーやギアなどの減速機構が不要になり、減速機構を簡単に構成でき、カード用コネクタを小型化できる。
【図面の簡単な説明】
【００１９】
【図１】本発明の実施の形態に係るカード用コネクタの外観斜視図である。
【図２】上記実施の形態におけるカード用コネクタのカバーを省略した外観斜視図である。
【図３】上記実施の形態におけるカード用コネクタの構成を示す分解斜視図である。
【図４】上記実施の形態におけるカード用コネクタのスライド部材の部品前方右側よりの外観斜視図である。
【図５】上記実施の形態におけるカード用コネクタの、排出状態を示すカバーを省略した平面図である。
【図６】上記実施の形態におけるカード用コネクタにカードを挿入する途中の状態を示すカバーを省略した平面図である。
【図７】上記実施の形態におけるカード用コネクタの、スライド部材のロック状態を示すカバーを省略した平面図である。
【図８】上記実施の形態におけるカード用コネクタの、カードが排出される途中の状態を示すカバーを省略した平面図である。
【図９】本発明の実施の形態の変形例に係るカード用コネクタの、スライド部材の組み込み状態を示す製品後方よりの要部の外観分解斜視図である。
【図１０】上記実施の形態の変形例におけるカード用コネクタのスライド部材の外観図であり、（ａ）はスライド部材の部品後方底面よりの外観斜視図、（ｂ）は潤滑剤の供給状態を説明するスライド部材の摺動面付近の部品後方底面よりの要部の外観斜視図である。
【図１１】本発明の実施の形態に係るカード用コネクタの装着対象のカードの外観斜視図であり、（ａ）は上面側の外観斜視図、（ｂ）は底面側の外観斜視図である。
【発明を実施するための形態】
【００２０】
まず、本発明の実施の形態に係るカード用コネクタについて説明する前に、図１１（ａ）および図１１（ｂ）を参考に、装着対象物となるカードについて説明する。図１１の（ａ）はカード１１の外観斜視図で、図１１の（ｂ）はカード１１の底面側の外観斜視図である。
【００２１】
カード１１は記憶媒体として用いられるメモリーカードで、図１１（ａ），（ｂ）に示すように、平面視で略矩形状の板状の製品で、一方の長辺部に切り欠き部１１ａがあり、切り欠き部１１ａの後方には傾斜面１１ｂが設けられおり、傾斜面１１ｂの後方は直線に延出し奥側の端面につながる。
【００２２】
本発明の実施例のカード用コネクタでは、切り欠き部１１ａおよび傾斜面１１ｂのある長辺が右側になる方向が正しい挿入方向である。
【００２３】
また、図１１（ｂ）に見える底面の奥側には、電気接続用の複数のパッド１１ｃが設けられている。
【００２４】
本発明の実施例のカード用コネクタでは、複数のパッド１１ｃが奥側になる方向が正しい挿入方向である。
【００２５】
以下、本発明の実施形態について添付図面を参照して詳細に説明する。
なお、本実施形態に係るカード用コネクタに装着される接続対象物は、いわゆるマイクロＳＤカードと呼ばれるメモリーカードであるが、本発明はこれに限定されるものではなく、例えば、制御キーを通信機能や、各種制御装置として用いられる他の接続対象物を装着対象とする種々のカード用コネクタに適用することが可能である。
【００２６】
まず、図１および図２を参考に、本発明の実施の形態に係るカード用コネクタの構成を説明する。
【００２７】
図１はカード用コネクタの外観斜視図である。図１に示すように、カード用コネクタはハウジング１と、ハウジング１の上部に係合されるカバー３と、ハウジング１の底部に係合される下カバー４により外形が構成され、ハウジング１とカバー３により構成される挿入口部１ｂがカード１１の挿入口となる。
想像線で示すカード１１は、挿入口部１ｂに図中に示すカード挿入方向１１ｄから挿入され、カード排出方向１１ｅに向けて排出される。
【００２８】
図２は説明のためにカバー３を省略した外観斜視図である。図２に示すように、挿入口部１ｂから見てハウジング１の右側の壁に近接してスライド部材２が挿入方向および排出方向に摺動可能に組み込まれており、スライド部材２の後端側にはスライド部材２を排出方向１１ｅに向けて付勢する排出バネ５が組み込まれている。
【００２９】
また、ハウジング１とスライド部材２にまたがるようにラッチピン６が組み込まれており、スライド部材２がロック位置に移動させられると、ラッチピン６は排出バネ５の付勢に抗してスライド部材２をロック位置に保持する。
【００３０】
つぎに、図３を参考に各部品を説明する。図３はカード用コネクタの部品構成を示す分解斜視図である。
【００３１】
ハウジング１は、成型材等で上方と前方が開口した箱状に形成され、基部の略中央部に複数の接続端子１ｅがインサート成型等にて組み込まれている。これらの複数の接続端子１ｅはハウジング１内で延出し、外部に露出し複数の外部端子１ｆとなる。カード１１がロック位置まで挿入されると、複数の接続端子１ｅとカード１１のパッド１１ｃは電気的に接続する。
【００３２】
ハウジング１の後方壁部にはカード検出スイッチ部１ｇが設けられている。
カード検出スイッチ部１ｇは、可動片側端子部１ｈと固定片側端子部１ｉと可動片側端子部１ｈに組み込まれた動作部１ｊから構成され、可動片側端子部１ｈと固定片側端子部１ｉはそれぞれ端部がハウジング１外に延出し、可動片側外部接続端子１ｋおよび固定片側外部接続端子１ｌとなる。
【００３３】
カード１１が挿入口部１ｂからハウジング１内に挿入されるとカード１１の奥側の端部が動作部１ｊを奥側に移動させ可動片側端子部１ｈが弾性変形する。弾性変形した可動片側端子部１ｈが固定片側端子部１ｉと接触し、これにより可動片側端子部１ｈと固定片側端子部１ｉが短絡するので、可動片側外部接続端子１ｋと固定片側外部接続端子１ｌの導通状態を監視することにより、カード１１が挿入されたことが検出できる。
【００３４】
ハウジング１の右側壁の内側面はスライド部材２が当接するハウジング摺動部１ａとなり、潤滑剤が塗布される。
【００３５】
また、ハウジング摺動部１ａにつながる内底面にスライドガイド部１ｃを有し、スライドガイド部１ｃの後方壁部には丸穴部１ｄを有する。スライドガイド部１ｃはスライド部材２を摺動可能に保持する溝部で、丸穴部１ｄはラッチピン６の他方側の端部を回動可能に保持する穴部である。
【００３６】
カバー３はステンレス等の金属板を略矩形状に形成し、カード１１の挿入口側の辺以外の３つの辺にそれぞれ組込用の複数の折り曲げ形状を有し、上面の右側後方部には板バネ部３ａを有する。板バネ部３ａはラッチピン６を下方に付勢する。
【００３７】
スライド部材２は成形材等により略矩形に形成されており、カード排出方向１１ｅ側の端部の略中央部に、カード保持突出部２ｃが設けられ、カード保持突出部２ｃにつながるスライド部材２移動方向に平行な壁部の奥側に傾斜した受け面２ｂを有する。また、後方左側にはハートカム溝２ｄを有し、後方右側には排出バネ保持用突出部２ｅを有する。さらに右側面の略中央部にはスライド部材摺動部２ａを有する（図４参照）。
【００３８】
カード保持突出部２ｃは挿入されたカード１１の切り欠き部１１ａと係合し、カード１１が不用意にスライド部材２から離脱することを回避する。
【００３９】
受け面２ｂはカード１１の傾斜面１１ｂと当接し、カード１１の挿入時にはカード１１の傾斜面１１ｂが受け面２ｂを押し込み、カード１１の排出時には受け面２ｂがカード１１の傾斜面１１ｂを押し出す。
【００４０】
ハートカム溝２ｄは、閉じた環状に連続する溝形状で、ラッチピン６が溝内を一方向にのみ移動するように段差が溝内に形成されている。スライド部材２が挿入方向に移動するときにラッチピン６の一方端が通過する略直線状の挿入用溝経路２ｊとスライド部材２が排出方向に移動するときにラッチピン６の一方端が通過する一部が直線で中間位置から挿入用溝経路２ｊ方向に向かい屈曲した排出用溝経路２ｋと、挿入用溝経路２ｊと排出用溝経路２ｋを接続する略Ｖの字形状のロック用溝経路２ｌを有し、ロック用溝経路２ｌの屈曲部はスライド部材２がロック状態となるときにラッチピン６を保持するロック壁部２ｍとなっている（図５参照）。
【００４１】
排出バネ保持用突出部２ｅには排出バネ５が挿入される。
【００４２】
排出バネ５はバネ用ステンレス鋼線等からなる圧縮バネで、ハウジング１の内壁とスライド部材２の排出バネ保持用突出部２ｅが設けられた壁部の間で圧縮されることとにより、スライド部材２を排出方向に付勢する。
【００４３】
ラッチピン６はバネ用ステンレス鋼線等で、中間部が長い略コの字を伏せたような形状に形成されている。ラッチピン６の一端部はハートカム溝２ｄに移動可能に係合し、他端部はハウジング１の丸穴部１ｄに回転可能に保持されている。
【００４４】
カバー３の板バネ部３ａがラッチピン６をハートカム溝２ｄの底部に押し付けることにより、ラッチピン６の一端部がハートカム溝２ｄから抜け出ることを防止している。そして、ラッチピン６の一端部はスライド部材２が挿入方向に移動する場合と排出方向に移動する場合とでハートカム溝２ｄの異なる経路を通過する。また、スライド部材２がロック位置に来たときは、ラッチピン６の一端部はハートカム溝２ｄのロック用溝経路２ｌのロック壁部２ｍに当接し、排出バネ５の付勢に抗してスライド部材２をロック位置に保持する。
【００４５】
下カバー４はステンレス等の金属板で略矩形状に形成され、カード１１の挿入口側の辺以外の３つの辺にそれぞれ組込用の複数の折り曲げ形状を有する。
【００４６】
つぎに、図５から図８を参考に、カード用コネクタにカード１１を挿入、排出するときのロック機構の動作を説明する。なお、図５から図８では説明のためにカバー３を省略して表示している。
【００４７】
図５はスライド部材２が排出位置にあるときのカード用コネクタである。排出位置では、スライド部材２は排出バネ５により排出方向に押され、ハウジング１の前方側の内壁に当接して停止している。このときラッチピン６の一端部は挿入用溝経路２ｊのロック用溝経路２ｌとは反対側の端部付近に位置している。
【００４８】
図５に想像線で表示するカード１１が挿入されると、最初にスライド部材２のカード保持突出部２ｃがカード１１の傾斜面１１ｂに当接する。
【００４９】
更にカード１１を奥に挿入すると、スライド部材２はカード保持突出部２ｃが傾斜面１１bに押されてカード１１から遠ざかる方向（図５の反時計方向）に回転し、カード保持突出部２ｃの頂部はカード１１の傾斜面１１ｂの端部を乗り越え、やがてカード保持突出部２ｃの頂部がカード１１の切り欠き部１１ａに到達すると、スライド部材２はカード保持突出部２ｃがカード１１に近づく方向（図５の時計方向）に回転し、カード保持突出部２ｃは切り欠き部１１ａに入りカード１１はスライド部材２に保持される。
【００５０】
カード１１をさらに奥に挿入すると、スライド部材２の受け面２ｂとカード１１の傾斜面１１ｂが当接し、以降は受け面２ｂと傾斜面１１ｂが当接したまま、スライド部材２はカード１１に押されて挿入方向に移動する。
【００５１】
図６はカード１１が挿入されスライド部材２が挿入方向に移動している途中状態を示す平面図である。カード１１が挿入されるとスライド部材２は挿入方向に移動し、ラッチピン６の一端部は挿入用溝経路２ｊをロック用溝経路２ｌ側に移動する。
【００５２】
カード１１を最も奥まで挿入するとスライド部材２も最も奥まで移動し、ラッチピン６の一端部は挿入用溝経路２ｊのロック用溝経路２ｌ側の最端部まで移動し、ハウジング１に設けた図示しないストッパと当接するとスライド部材２は移動できなくなる。
【００５３】
そののち挿入力を除去すると、スライド部材２は排出バネ５の付勢により排出方向に移動するが、ラッチピン６の一端部は挿入用溝経路２ｊをロック用溝経路２ｌ側にわずかに移動した後、挿入用溝経路２ｊとロック用溝経路２ｌの溝底部の高さの違いによりロック用溝経路２ｌに浸入し、ロック用溝経路２ｌをロック壁部２ｍ方向に移動し、図７に示すように、ラッチピン６の一端部がロック用溝経路２ｌのロック壁部２ｍに当接して停止する。
【００５４】
スライド部材２は排出バネ５により排出方向に付勢されているため、ラッチピン６の一端部はロック壁部２ｍに保持されたままとなり、ラッチピン６がスライド部材２の排出方向への移動を阻止するので、スライド部材２はロック状態となる。
【００５５】
スライド部材２がロック状態となったのちに、再度カード１１をわずかに挿入するとスライド部材２も挿入方向に移動するが、ロック壁部２ｍ付近のロック用溝経路２ｌの溝底部にはラッチピン６の一端部が一方向にしか移動できないように段差を設けてあるため、ラッチピン６の一端部はハートカム溝２ｄのロック用溝経路２ｌを排出用溝経路２ｋ方向に移動し、遂には排出用溝経路２ｋに移動する。
【００５６】
カード１１をさらに奥に挿入するとラッチピン６の一端部は排出用溝経路２ｋのロック用溝経路２ｌ側の最端部まで移動し、ラッチピン６の一端部が排出用溝経路２ｋの最端部と当接するとスライド部材２は移動できなくなる。
【００５７】
そののち挿入力を除去するとスライド部材２は排出バネ５の付勢により排出方向に移動し、ラッチピン６の一端部は排出用溝経路２ｋをロック用溝経路２ｌ側に移動するが、ロック用溝経路２ｌと挿入用溝経路２ｊの溝底部の高さの違いによりロック用溝経路２ｌには戻らず、図８に示すように、排出用溝経路２ｋを移動する。
【００５８】
排出用溝経路２ｋは直線部ののち中間位置から屈曲して挿入用溝経路２ｊとつながっているため、スライド部材２は排出バネ５の付勢により排出方向に移動し、ラッチピン６の一端部は排出用溝経路２ｋから挿入用溝経路２ｊのロック用溝経路２ｌとは反対側の端部付近まで移動可能する。なお、挿入用溝経路２ｊと排出用溝経路２ｋの溝底部の高さの違いにより、排出用溝経路２ｋから挿入用溝経路２ｊに移動したラッチピン６の一端部は排出用溝経路２ｋには戻らない。
【００５９】
以上のように、本発明の実施の形態のロック機構ではカード１１を繰り返し挿入することにより、カード１１を挿入、排出できるため、排出操作のための操作部を設ける必要がなく、カードコネクタの小型化が可能である。
【００６０】
引きつづき、図８を参考にカード１１を挿入、排出するときの摺動部の挙動を説明する。
【００６１】
カード１１を挿入すると、カード１１の傾斜面１１ｂがスライド部材２の受け面２ｂと当接しスライド部材２は挿入方向に移動させられる。このときスライド部材２を押し込む力は受け面２ｂに垂直な力であるため、挿入方向に平行な方向の分力がスライド部材２を挿入方向に移動させ、挿入方向に垂直な方向の分力はスライド部材２をカード１１から遠ざかる方向に移動させる。
【００６２】
この挿入方向に垂直な方向の分力によりスライド部材２のスライド部材摺動部２ａはハウジング１のハウジング摺動部１ａに押し付けられる。
【００６３】
カード１１の排出時には排出バネ５がスライド部材２を排出方向に付勢し、この付勢力によりスライド部材２の受け面２ｂがカード１１の傾斜面１１ｂを押し出す。
【００６４】
スライド部材２の受け面２ｂがカード１１の傾斜面１１ｂを押す力は傾斜面１１ｂに垂直な力であるため、排出方向に平行な方向の分力がカード１１を排出方向に移動させるが、排出方向に垂直な方向の分力はカード１１をスライド部材２から遠ざかる方向に移動させる。
【００６５】
しかしカード１１の左側端面は、すぐにハウジング１の左側内壁に当接しそれ以上にはスライド部材２から遠ざかる方向に移動できなくなるため、カード１１の左側端面がハウジング１の左側内壁に当接した後は、スライド部材２がカード１１から遠ざかる方向に移動し、スライド部材２のスライド部材摺動部２ａはハウジング１のハウジング摺動部１ａに押し付けられながら移動する。
【００６６】
これにより、本発明の実施の形態では、カード１１の挿入時および排出時のいずれの場合にも、スライド部材２はスライド部材摺動部２ａがハウジング摺動部１ａに押し付けられながら移動する。
【００６７】
以上により、本発明の実施の形態ではカード１１の挿入時および排出時ともにスライド部材２は、スライド部材摺動部２ａがハウジング１のハウジング摺動部１ａに押し付けられながら移動する。
【００６８】
スライド部材摺動部２ａとハウジング摺動部１ａの摺動面には潤滑剤が塗布されているが、スライド部材摺動部２ａがハウジング摺動部１ａに押し付けられながら移動するため、摺動面に塗布された潤滑剤の一部がスライド部材摺動部２ａにより掻き取られる。スライド部材２のスライド部材摺動部２ａが移動しながら塗布された潤滑剤が掻き取られるときには、潤滑剤の粘性によりスライド部材２の移動抵抗が生じる。
【００６９】
また掻き取られた潤滑剤はスライド部材摺動部２ａの縁部に堆積するが、スライド部材摺動部２ａの縁部に堆積した潤滑剤はカード１１の挿入時および排出時にスライド部材２とともに移動するので、潤滑剤の粘性抵抗によりスライド部材２の移動抵抗が生じる。
【００７０】
以上により、本発明の実施の形態ではカード１１の挿入時および排出時ともにスライド部材２は、スライド部材摺動部２ａがハウジング１のハウジング摺動部１ａに押し付けられながら移動することにより、スライド部材２とハウジング１の摺動面に塗布してある潤滑剤の粘性抵抗により、スライド部材２の移動抵抗が生じ、カード１１の排出速度を減速できる。
【００７１】
なお、本発明の実施の形態では摺動面をスライド部材２の側壁部とハウジング１の側壁の内壁部としたが、例えば、摺動面をスライド部材２の底面とハウジング１の内底面としても、スライド部材２の受け面２ｂの傾斜を適切に設定することにより、同様な効果を得ることとができる。または、専用の摺動面をスライド部材２およびハウジング１に個別に設けても同様な効果が得られる。
【００７２】
つぎに、本発明の実施の形態における潤滑剤の回収と供給に係る構造を、図９から図１０を参照して説明する。
【００７３】
図９は本発明の実施の形態におけるスライド部材２の組み込み状態を示す、製品後部上方より見た分解斜視図である。
【００７４】
図９に示すように、スライド部材２はハウジング１のスライドガイド部１ｃに、スライド部材摺動部２ａがハウジング摺動部１ａに当接する方向で組み込まれ、カード１１の挿入，排出時にはスライド部材２のスライド部材摺動部２ａがハウジング１のハウジング摺動部１ａに押し付けられながら移動する。
【００７５】
図１０（ａ）は本発明の実施の形態におけるスライド部材２を製品後部下方側より見た外観斜視図である。
【００７６】
本発明の実施の形態では、スライド部材２のスライド部材摺動部２ａの近傍の垂直面の一部に開口部を設け潤滑剤の回収部２ｆとし、回収部２ｆの開口部をスライド部材２内部にて延伸し、摺動面に設けた開口部に接続する誘導路２ｇとする。また誘導路２ｇの開口部に連続して潤滑剤の収容部２ｈを設ける。
【００７７】
回収部２ｆはカード１１の挿入および排出に伴うスライド部材２の移動により摺動面からはみ出した潤滑剤を誘導路２ｇに取り込むための開口部である。誘導路２ｇは回収部２ｆに取り込まれた潤滑剤をスライド部材摺動部２ａに流す溝部である。また、収容部２ｈは回収部２ｆに取り込まれた潤滑剤が過剰となった場合に、過剰な潤滑剤を一時的に保持する窪み部である。
【００７８】
図１０（ｂ）は潤滑剤の回収，供給状態を説明する、図１０（ａ）に示すスライド部材２の潤滑剤の回収部２ｆ近傍の拡大図である。
【００７９】
スライド部材２が挿入方向に移動させられると、摺動面に塗布された潤滑剤はスライド部材２のスライド部材摺動部２ａにより掻き取られ、スライド部材摺動部２ａの縁部に潤滑剤が堆積する。
【００８０】
スライド部材摺動部２ａの縁部に堆積した潤滑剤は、スライド部材摺動部２ａと隣接する面および隣接する面につながる垂直面に堆積して増加するが、やがて排出バネ保持用突出部２ｅの根元部にそって回収部２ｆの開口部付近に到達する。
【００８１】
回収部２ｆの開口部付近に到達した潤滑剤の一部はスライド部材２の挿入方向への移動により誘導路２ｇに入るが、誘導路２ｇの底面部は開口しハウジング１のスライドガイド部１ｃと対向しているため、スライド部材２がスライドガイド部１ｃ上を移動すると誘導路２ｇの底面の開口部に達した潤滑剤はスライドガイド部１ｃに引っ張られ、図１０（ｂ）に矢印で示す潤滑剤の流れ２ｉのように、潤滑剤は誘導路２ｇ中を収容部２ｈの方向に向かって移動する。
【００８２】
誘導路２ｇの開口部に達した潤滑剤はスライド部材摺動部２ａに当接するハウジング１のハウジング摺動部１ａに供給され、同時に余剰の潤滑剤は収容部２ｈに収容される。
【００８３】
収容部２ｈに収容された余剰の潤滑剤は、回収部２ｆからの潤滑剤の回収量が少ないと、余剰の潤滑剤が収容部２ｈからハウジング摺動部１ａに供給される。
【００８４】
スライド部材２が排出方向に移動するときは、スライド部材２が挿入方向に移動したときにハウジング１のハウジング摺動部１ａに供給された潤滑剤の粘性抵抗により移動速度が減速される。このとき潤滑剤はスライド部材２のスライド部材摺動部２ａにより掻き取られスライド部材摺動部２ａの縁部に堆積するが、次にスライド部材２が挿入方向へ移動されたときに再び回収部２ｆに回収される。
【００８５】
以上により本発明の実施の形態では、カード１１を挿入，排出する都度、スライド部材２の移動により潤滑剤が回収，供給されるため、排出時の減速に必要な潤滑剤を継続的に供給することができる。
【００８６】
なお、本発明の実施の形態では誘導路の開口部に連続して収容部を設けたが、収容部を誘導路の途中に設けることも可能である。また、誘導路を大きくして収容部を省略することとも可能である。
【符号の説明】
【００８７】
１        ハウジング
１ａ      ハウジング摺動部
１ｂ      挿入口部
１ｃ      スライドガイド部
１ｄ      丸穴部
１ｅ      接続端子
１ｆ      外部端子
１ｇ      カード検出スイッチ部
１ｈ      可動片側端子部
１ｉ      固定片側端子部
１ｊ      動作部
１ｋ      可動片側外部端子
１ｌ      固定片側外部端子
２        スライド部材
２ａ      スライド部材摺動部
２ｂ      受け面
２ｃ      カード保持突出部
２ｄ      ハートカム溝（ロック機構）
２ｅ      排出バネ保持突出部
２ｆ      回収部
２ｇ      誘導路
２ｈ      収容部
２ｉ      潤滑剤の流れ
２ｊ      挿入用溝経路
２ｋ      排出用溝経路
２ｌ      ロック用溝経路
２ｍ      ロック壁部
３        カバー
３ａ      板バネ部
４        下カバー
５        排出バネ（付勢部材）
６        ラッチピン（ロック機構）
１１      カード（接続対象物）
１１ａ    切り欠き部
１１ｂ    傾斜面
１１ｃ    パッド
１１ｄ    カード挿入方向
１１ｅ    カード排出方向
【図１】
0005674139.tif 000002
【図２】
0005674139.tif 000003
【図３】
0005674139.tif 000004
【図４】
0005674139.tif 000005
【図５】
0005674139.tif 000006
【図６】
0005674139.tif 000007
【図７】
0005674139.tif 000008
【図８】
0005674139.tif 000009
【図９】
0005674139.tif 000010
【図１０】
0005674139.tif 000011
【図１１】
0005674139.tif 000012